(57)【要約】【課題】撮影された静止画像から遠近感のある動画像を容易に作成できるようにする。【解決手段】本発明に係るデジタルカメラ１０によれば、入力部１２を介して撮影された複数の静止画像のなかから動画像作成に使用する任意の画像が選択されると、選択された画像から領域サイズの異なる複数領域の画像を切り出し、切り出した画像を連結して動画像を作成、記録し出力する。【選択図】図１
2006270550.tif 000002
【特許請求の範囲】
【請求項１】
撮影により静止画像を取得する撮像手段と、
前記取得された静止画像のなかから動画作成の対象となる任意の画像を選択する画像選択手段と、
前記画像選択手段により選択された任意の画像から領域サイズの異なる複数領域を切り出し、切り出された複数領域の画像を連結して動画像を作成し記録する動画作成手段と、
前記記録された動画像を出力する動画出力手段と、
を備えたことを特徴とする撮影装置。
【請求項２】
前記任意の画像から切り出す複数領域に関する動画作成条件を設定する設定手段を備え、
前記動画作成手段は、前記設定手段により設定された動画作成条件に基づいて、前記選択された任意の画像から領域サイズの異なる複数領域の画像を切り出すことを特徴とする請求項１に記載の撮影装置。
【請求項３】
前記動画作成手段は、前記設定手段により設定された動画作成条件を前記任意の画像から作成した動画像に対応付けて記録しておき、前記記録された動画作成条件に基づいて、前記任意の画像とは異なる他の画像から動画像を作成することを特徴とする請求項２に記載の撮影装置。
【請求項４】
前記任意の画像から動画開始領域を設定する開始領域設定手段を備え、
前記動画作成手段は、前記開始領域設定手段により設定された動画開始領域から前記任意の画像の全領域に達するまで段階的に領域サイズを拡大しつつ切り出すことを特徴とする請求項１に記載の撮影装置。
【請求項５】
前記任意の画像から動画終了領域を設定する終了領域設定手段を備え、
前記動画作成手段は、前記任意の画像の全領域から前記終了領域設定手段により設定された動画終了領域に達するまで段階的に領域サイズを縮小しつつ切り出すことを特徴とする請求項１に記載の撮影装置。
【請求項６】
前記動画作成手段は、前記切り出された複数の画像のそれぞれを拡大又は縮小することにより画像サイズを統一し、前記画像サイズの統一された複数の画像を連結して動画像を作成することを特徴とする請求項１〜５の何れか一項に記載の撮影装置。
【請求項７】
前記動画作成手段は、前記任意の画像から切り出す領域を予め設定された位置から予め設定された回転方向に段階的に拡張して、切り出し領域が画像全体となるまで複数切り出すことを特徴とする請求項１に記載の撮影装置。
【請求項８】
前記動画作成手段は、前記任意の画像から切り出す領域を予め設定された位置から渦巻状に段階的に拡張して、切り出し領域が画像全体となるまで複数切り出すことを特徴とする請求項１に記載の撮影装置。
【請求項９】
コンピュータに、
撮影により取得された静止画像のなかから動画作成の対象となる任意の画像を選択する機能と、
前記選択された任意の画像から領域サイズの異なる複数領域を切り出し、切り出された複数領域の画像を連結して動画像を作成し記録する機能と、
前記記録された動画像を出力する機能と、
を実現させるためのプログラム。
【発明の詳細な説明】
【技術分野】
【０００１】
本発明は、撮影された任意の静止画像から複数の画像を切り出して動画像を作成する機能を備えた撮影装置及びプログラムに関する。
【背景技術】
【０００２】
従来、ビデオカメラ等においては、連続的に撮影された複数の画像から一連の動画像を作成している。しかしながら、複数の画像を連続的に撮影するには、長時間カメラを保持しなければならないという問題がある。そこで、例えば、特許文献１には、カメラ等で撮影された１枚の静止画像のなかから何枚かの部分領域を切り出して動画像を作成する技術が記載されている。
【特許文献１】特開平１１−１８５０５１号公報
【発明の開示】
【発明が解決しようとする課題】
【０００３】
上述の特許文献１においては、１枚の静止画像から何枚かの画像を切り出して動画像を作成することはできる。しかしながら、再生した際に遠近感がでるような動画像を容易に作成することはできなかった。
【０００４】
本発明の課題は、撮影された静止画像から遠近感のある動画像を容易に作成できるようにすることである。
【課題を解決するための手段】
【０００５】
上記課題を解決するため、請求項１に記載の発明の撮影装置は、
撮影により静止画像を取得する撮像手段と、
前記取得された静止画像のなかから動画作成の対象となる任意の画像を選択する画像選択手段と、
前記画像選択手段により選択された任意の画像から領域サイズの異なる複数領域を切り出し、切り出された複数領域の画像を連結して動画像を作成し記録する動画作成手段と、
前記記録された動画像を出力する動画出力手段と、
を備えたことを特徴としている。
【発明の効果】
【０００６】
請求項１、９に記載の発明によれば、撮影により取得された静止画像のなかから動画作成の対象となる任意の画像が選択されると、選択された任意の画像から領域サイズの異なる複数領域を切り出し、切り出された複数領域の画像を連結して動画像を作成して記録し、この記録された動画像を出力する。従って、撮影により取得された静止画像から遠近感のある動画像を再生出力することが可能となる。
【０００７】
請求項２に記載の発明によれば、任意の画像から切り出す複数領域に関する動画作成条件を設定する設定手段を備え、この設定手段により設定された動画作成条件に基づいて、選択された任意の画像から領域サイズの異なる複数領域の画像を切り出す。従って、任意の画像から切り出す複数領域に関する動画作成条件をユーザが設定することができるので、ユーザが切り出す領域を指定して所望の動画像を作成することが可能となる。
【０００８】
請求項３に記載の発明によれば、設定手段により設定された動画作成条件を任意の画像から作成した動画像に対応付けて記録しておき、記録された動画作成条件に基づいて、任意の画像とは異なる他の画像から動画像を作成する。従って、過去に設定した動画作成条件に基づいて動画像を作成することが可能となり、動画作成条件設定の手間を省くことができ、操作性が向上する。
【０００９】
請求項４に記載の発明によれば、任意の画像から動画開始領域を設定する開始領域設定手段を備え、開始領域設定手段により設定された動画開始領域から任意の画像の全領域に達するまで段階的に領域サイズを拡大しつつ複数領域の切り出しを行う。従って、動画像の最初の画像として切り出す領域を設定するだけで、設定した領域から画像全体にズームバックした動画像を容易に作成することができる。
【００１０】
請求項５に記載の発明によれば、任意の画像から動画終了領域を設定する終了領域設定手段を備え、任意の画像の全領域から終了領域設定手段により設定された動画終了領域まで段階的に領域サイズを縮小しつつ複数領域の切り出しを行う。従って、動画像の最後の画像として切り出す領域を設定するだけで、画像全体から設定した領域にズームアップした動画像を容易に作成することができる。
【００１１】
請求項６に記載の発明によれば、切り出された複数の画像のそれぞれを拡大又は縮小することにより画像サイズを統一し、画像サイズの統一された複数の画像を連結して動画像を作成することができる。
【００１２】
請求項７に記載の発明によれば、任意の画像から切り出す領域を予め設定された位置から予め設定された回転方向に段階的に拡張して、切り出し領域が画像全体となるまで複数切り出す。従って、回転方向に徐々に画像を展開して最終的に画像全体を展開する、画像の遠近感を引きだす動画像を作成することが可能となる。
【００１３】
請求項８に記載の発明によれば、任意の画像から切り出す領域を予め設定された位置から渦巻状に段階的に拡張して、切り出し領域が画像全体となるまで複数切り出す。従って、回転方向に渦巻状に徐々に画像を展開して最終的に画像全体を展開するという、渦巻の中心部に鑑賞者の興味を引きつけて画像の遠近感を強調する動画像を作成することが可能となる。
【発明を実施するための最良の形態】
【００１４】
以下、図を参照して本発明の実施形態を詳細に説明する。
まず、構成を説明する。
【００１５】
図１は、撮影装置としてのデジタルカメラ１０の機能的構成を示すブロック図である。図１に示すように、デジタルカメラ１０は、ＣＰＵ（Central Processing Unit）１１、入力部１２、ＲＡＭ（Random Access Memory）１３、伝送制御部１４、表示部１５、撮像部１６、記録部１７、記録媒体駆動部１８等を備えて構成されており、各部はバス１９により接続されている。
【００１６】
ＣＰＵ１１は、記録部１７に記憶されているシステムプログラムを読み出し、ＲＡＭ１３内に形成されたワークエリア１３１に展開し、該システムプログラムに従って各部を制御する。また、ＣＰＵ１１は、記録部１７に記憶されているメインプログラム、動画モード処理プログラムを始めとする各種処理プログラムを読み出してワークエリア１３１に展開し、その展開されたプログラムに従って、後述するメイン処理（図３参照）、動画モード処理（図４〜６参照）を始めとする各種処理を実行する。
【００１７】
入力部１２は、電源キー、シャッターキー、表示部１５の表示画面上におけるカーソル位置の移動、各種モードや画像ファイルの選択等のために表示画面上の上下左右の各方向を指示するための十字キー、この十字キーの中央部に配置され、その時点で選択されている内容を指示設定する決定キー等を備え、ユーザによる各キー操作に応じた操作信号をＣＰＵ１１に出力する。
【００１８】
ＲＡＭ１３は、ＣＰＵ１１によって実行される各種プログラム及びこれらプログラムに係るデータを一時的に記憶するワークエリア１３１を形成する。
【００１９】
伝送制御部１４は、通信用ケーブル等により外部の電子機器、例えば、パーソナルコンピュータ等と接続され、外部機器とのデータの送受信を制御する。なお、外部機器との接続は、赤外線や無線等の無線接続であってもよい。
【００２０】
表示部１５は、ＬＣＤ（Liquid Crystal Display）等のモニタにより構成され、ＣＰＵ１１から入力される表示信号の指示に従って、撮影しようとする画像、撮影された撮影画像、作成された動画像等を表示画面上に表示出力する。
【００２１】
図２は、撮影により静止画像の画像データを取得する撮像部１６の詳細構成を示す図である。以下、図２を参照して撮像部１６について詳細に説明する。
レンズ（撮像レンズ）２１を通過した被写体像は絞り機構２２を介してＣＣＤ（Charge Coupled Device）２３上に結像される。レンズ２１及び絞り機構２２は、光学系駆動部２４によって、焦点合わせのためにレンズ位置が移動され、また、適切な露出となるように絞り量が制御される。このレンズ２１の移動や絞り機構２２の絞りは、測距センサや光量センサを含むセンサ部２５によって検出された検出値がバス１９を介してＣＰＵ１１に出力され、ＣＰＵ１１で検出値に基づいて演算されたレンズ２１の移動量や絞り機構２２の絞り量を示す信号が光学系駆動部２４に出力されることによって駆動がなされるものである。
【００２２】
ＣＣＤ２３に被写体が結像されると、ＣＣＤ２３には入射光量に応じた電荷が蓄積され、この電荷は駆動回路２６から与えられる駆動パルス信号によって順次読み出され、アナログ処理回路２７に出力される。アナログ処理回路２７は、色分離やゲイン調整、ホワイトバランスなどの各種処理が行われ、処理された信号はＡ／Ｄ変換回路２８を介してデジタル画像データ（以下、画像データと称する）としてバッファレジスタ２９に記憶される。
【００２３】
バッファレジスタ２９に記憶された画像データは、ＣＰＵ１１からの制御信号に基づいて、信号処理回路３０において輝度信号及び色差信号に変換され、表示部１５に表示される。また、信号処理回路３０において処理された画像データは、ＣＰＵ１１からの制御信号に基づいて、圧縮伸張回路３１において圧縮されバス１９を介して図１に示す記録部１７の撮影画像記録領域１７１もしくは記録媒体１８ａに記録される。
【００２４】
図１に戻り、記録部１７は、フラッシュメモリなどの不揮発メモリ等により構成され、デジタルカメラ１０に対応するシステムプログラム、及び該システムプログラム上で実行可能なメイン処理プログラム、動画モード処理プログラムを始めとする各種処理プログラム及びこれらのプログラムで処理されたデータ等を記録する。
【００２５】
この記録部１７は、撮像部１６において撮影により取得された静止画像の画像データを記録するための、撮影画像記録領域１７１を有する。また、記録部１７は、後述する動画モード処理において作成された動画ファイルを記録するための動画ファイル記録領域（マニュアル／履歴）１７２及び動画ファイル記録領域（定型）１７３を有する。
【００２６】
記録媒体駆動部１８は、装着された記録媒体１８ａに対してデータを記録したり、既に記録されているデータを読み出して再生したりするための駆動回路である。装着される記録媒体１８ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードを用いることができ、これらの各種カードの何れか又は複数のカードに応じた記録媒体駆動部１８が設けられている。
【００２７】
次に、本実施の形態の動作について説明する。
図３は、デジタルカメラ１０のＣＰＵ１１により実行されるメイン処理を示すフローチャートである。当該処理は、入力部１２の電源キーの操作により電源がＯＮされた際にＣＰＵ１１と記録部１７に記憶されているメイン処理プログラムとの協働によるソフトウエア処理により実現される処理である。
【００２８】
まず、表示部１５にモードの一覧が表示されたモード選択画面（図示せず）が表示され、入力部１２の操作によりモードが選択されると（ステップＳ１）、選択されたモードが解析される（ステップＳ２）。
【００２９】
選択されたモードが撮影モードである場合（ステップＳ３；ＹＥＳ）、シャッターキーが操作されると（ステップＳ４；ＹＥＳ）、撮像部１６が制御されて撮影により画像データが取り込まれ（ステップＳ５）、取り込まれた画像データ（取込画像）が記録部１７の撮影画像記録領域１７１もしくは記録媒体１８ａに記録され（ステップＳ６）、処理はステップＳ４に戻る。
【００３０】
一方、ステップＳ４においてシャッターキーが操作されず（ステップＳ４；ＮＯ）、入力部１２の操作によりモード切替が指示された場合は（ステップＳ７；ＹＥＳ）、処理はステップＳ２に戻る。ステップＳ７においてモード切替が指示されず、電源キーの操作により電源ＯＦＦが指示された場合（ステップＳ８；ＹＥＳ）、本処理は終了する。入力部１２によるモード切替、電源ＯＦＦの何れの指示操作もされない場合（ステップＳ８；ＮＯ）、処理はステップＳ４に戻る。
【００３１】
一方、解析されたモードが撮影モードではなく（ステップＳ３；ＮＯ）、動画作成モードである場合（ステップＳ９；ＹＥＳ）、図４〜６に示す動画モード処理が実行される（ステップＳ１０）。動画モード処理後、入力部１２の操作によりモード切替が指示された場合（ステップＳ１１；ＹＥＳ）、処理はステップＳ２に戻る。ステップＳ１１においてモード切替が指示されず、電源キーの操作により電源ＯＦＦが指示された場合（ステップＳ１２；ＹＥＳ）、本処理は終了する。入力部１２においてモード切替、電源ＯＦＦの何れの操作もされない場合（ステップＳ１２；ＮＯ）、処理はステップＳ１０に戻る。
【００３２】
一方、解析されたモードが撮影モードでも動画作成モードでもない場合（ステップＳ９；ＮＯ）、選択されたモードに従った処理が実行され（ステップＳ１３）、入力部１２の操作によりモード切替が指示されると（ステップＳ１４；ＹＥＳ）、処理はステップＳ２に戻る。ステップＳ１４においてモード切替が指示されず、電源キーの操作により電源ＯＦＦが指示された場合（ステップＳ１５；ＹＥＳ）、本処理は終了する。入力部１２においてモード切替、電源ＯＦＦの何れの操作もされない場合（ステップＳ１５；ＮＯ）、処理はステップＳ１３に戻る。
【００３３】
以下、図４〜図６を参照してステップＳ１０において実行される動画モード処理について説明する。当該処理は、ＣＰＵ１１と記録部１７に記録された動画モード処理プログラムとの協働によるソフトウエア処理により実現される処理である。
【００３４】
本実施の形態においては、動画像作成の対象となる静止画像は撮影画像記録領域１７１に記録されていることとするが、記録媒体１８ａに記録された静止画像を対象としてもよい。
【００３５】
まず、表示部１５に撮影画像記録領域１７１に記録されている画像の一覧画面（図示せず）が表示され、入力部１２の操作によりこの一覧画面から１枚の画像が選択されると（ステップＴ１：画像選択手段）、選択された画像（選択画像）の画像データが撮影画像記録領域１７１からＲＡＭ１３のワークエリア１３１に読み出される（ステップＴ２）。
【００３６】
次いで、表示部１５に条件設定方法選択画面（図示せず）が表示され、入力部１２の操作により動画作成条件の設定方法の選択が行われる（ステップＴ３）。この条件設定方法選択画面においては、動画作成条件の設定方法として「マニュアル設定」、「動画作成履歴から選択」、「定型設定から選択」が選択肢として表示されており、入力部１２の十字キー等の操作によりこれらの設定方法のうち何れかを選択することができる。
【００３７】
ステップＴ３において「マニュアル設定」が選択されると（ステップＴ４；ＹＥＳ）、表示部１５に開始領域設定画面１５１が表示される（ステップＴ５）。
「マニュアル設定」は、動画像のコマ画像として選択画像から切り出す複数領域に関する条件（ここでは、動画像の最初の画像として切り出す動画開始領域の位置及び領域サイズ、動画像の最後の画像として切り出す動画終了領域の位置及び領域サイズ、切り出す画像数（コマ数））を含む動画作成条件をユーザが入力部１２を介して設定するものである。この「マニュアル設定」は、後述するステップＴ５〜Ｔ１７において行われ、本発明の設定手段が実現される。
【００３８】
図７に、開始領域設定画面１５１の一例を示す。図７に示すように、開始領域設定画面１５１は、ステップＴ１で選択された選択画像上に、予め設定された動画サイズ（ここでは、選択画像と同サイズとする）と同じアスペクト比からなる矩形Ｒが表示されてなる。当該画面において入力部１２の十字キーの上方向矢印が操作されるとその操作の回数に応じて矩形Ｒが段階的に拡大され、下方向矢印が操作されるとその操作の回数に応じて矩形Ｒが段階的に縮小される。この十字キーの操作により、動画像として最初に表示する動画開始領域の領域サイズを調整することができる。十字キーの操作により領域サイズを調整後、決定キーが押下されると、表示された矩形Ｒのサイズが動画開始領域の領域サイズとして設定される。動画開始領域の領域サイズの決定後、十字キーが操作されると、表示された矩形Ｒの位置を操作方向及び回数に応じて移動させることができ、十字キーの操作により矩形Ｒを動画開始領域として切り出したい位置まで移動させて決定キーが押下されると、表示された矩形Ｒが動画開始領域として設定される。
【００３９】
図４に戻り、開始領域設定画面１５１において入力部１２の十字キーが操作されると、操作に応じて動画開始領域として切り出す領域の領域サイズが調整される（ステップＴ６）。決定キーが操作されると、領域サイズが調整されたサイズに設定される（ステップＴ７；ＹＥＳ）。次いで、入力部１２の十字キーが操作されると、操作に応じて動画開始領域として切り出す領域の位置が調整される（ステップＴ８）。決定キーが押下されると、動画開始領域として切り出す領域の位置が調整された位置に設定される（ステップＴ９）。
【００４０】
次いで、表示部１５に終了領域設定画面１５２が表示される（ステップＴ１０）。終了領域設定画面１５２は、図７で説明した開始領域設定画面１５１と同様の表示であり、開始領域設定画面１５１におけるのと同様の操作により動画像として最後に表示する動画終了領域の領域サイズ及び位置を設定することができる。なお、終了領域設定画面１５２においては、既に設定されている動画開始領域を表示しておくことが好ましい。
【００４１】
終了領域設定画面１５２において入力部１２の十字キーが操作されると、操作に応じて動画終了領域として切り出す領域の領域サイズが調整される（ステップＴ１１）。決定キーが操作されると、領域サイズが調整されたサイズに設定される（ステップＴ１２；ＹＥＳ）。次いで、入力部１２の十字キーが操作されると、操作に応じて動画終了領域として切り出す領域の位置が調整される（ステップＴ１３）。決定キーが押下されると、動画終了領域として切り出す領域の位置が調整された位置に設定される（ステップＴ１４）。
【００４２】
次いで、表示部１５にステップＴ１で選択された選択画像から切り出すコマ数、１コマあたりの再生時間（再生スピード）及びその他の設定項目（例えば、コントラスト等）について設定するための詳細設定画面（図示せず）が表示され、詳細設定画面の表示に応じて入力部１２が操作されることにより、コマ数が設定され（ステップＴ１５）、１コマあたりの再生時間が設定され（ステップＴ１６）、その他設定項目が設定され（ステップＴ１７）、そして動画作成開始が指示されると（ステップＴ１８；ＹＥＳ）、処理はステップＴ２６に移行し、動画作成処理Ａが実行される。動画作成開始が指示されず、再設定が指示された場合（ステップＴ１８；ＮＯ）、処理はステップＴ４に戻る。
【００４３】
ステップＴ２６において実行される動画作成処理Ａは、ＣＰＵ１１と記録部１７に記録された動画作成処理Ａプログラムとの協働によるソフトウエア処理により実現されるものであり、マニュアル設定された動画作成条件に基づいて選択画像から領域サイズの異なる複数領域を切り出して動画像を作成し記録する動画作成手段である。
【００４４】
動画作成処理Ａにおいて、まず、マニュアル設定された動画作成条件、即ち、設定された動画開始領域と動画終了領域の位置及び領域サイズ、並びに設定されたコマ数に基づいて、ワークエリア１３１に読み出されている選択画像から切り出すべき各コマ画像の位置及び領域サイズが求められる。ここで求められる各コマ画像の領域は、動画開始領域＞動画終了領域のとき、動画開始領域から動画終了領域に達するまで段階的に縮小されたものとなり、動画開始領域＜動画終了領域のとき、設定された動画開始領域から動画終了領域に達するまで段階的に拡大されたものとなる。
【００４５】
例えば、設定された動画開始領域が図８（ａ）に示すＲ１、動画終了領域が図８（ａ）に示すＲ２であり、設定されたコマ数が５である場合、動画開始領域Ｒ１＜動画終了領域Ｒ２であるので、図８（ａ）に示すように動画開始領域Ｒ１から動画終了領域Ｒ２まで段階的に拡大された領域サイズの異なる５つのコマ画像の領域サイズ及び位置が求められる。
【００４６】
次いで、求められた各コマ画像の位置及び領域サイズに基づいて、動画開始領域から動画終了領域までの領域サイズ順に選択画像から各コマ画像が切り出され、切り出された各コマ画像が動画サイズ（ここでは選択画像と同サイズ）に拡大され、画像サイズが統一される。そして、切り出されたコマ画像が切り出された順に連結され、マニュアル設定された動画作成条件、即ち、動画開始領域と動画終了領域の位置及び領域サイズ、並びに設定されたコマ数がヘッダに書込まれて動画ファイルが作成され、記録部１７の動画ファイル記録領域（マニュアル／履歴）１７２に記録され、処理は図４のステップＴ５６に移行する。
【００４７】
図４のステップＴ５６においては、作成され、記録された動画ファイルに基づいて表示部１５に動画像が再生出力される（動画出力手段）。図８（ｂ）に、マニュアル設定により動画開始領域が図８（ａ）に示すＲ１、動画終了領域が図８（ａ）に示すＲ２、コマ数が５に設定された際に作成された動画ファイルを再生出力した場合の画面表示例を示す。図８（ｂ）に示すように、動画開始領域＜動画終了領域として動画作成条件を設定することで、画像中の所望の一部領域を大写しにした画像から徐々に領域を広げて遠ざかっていくように見せる臨場感あふれる動画像を作成することができる。また、動画開始領域＞動画終了領域として条件設定することで、画像中の所望の一部分に徐々に迫っていくように見せる迫力のある動画像を作成することができる。
【００４８】
一方、図４のステップＴ４において、条件設定方法選択画面から「マニュアル設定」が選択されず（ステップＴ４；ＮＯ）、「動画作成履歴から選択」が選択されると（ステップＴ１９；ＹＥＳ）、動画ファイル記録領域（マニュアル／履歴）１７２に記録された各動画ファイルの最初の画像のサムネイル画像（履歴サムネイル画像）が作成され、表示部１５に一覧表示される（ステップＴ２０）。入力部１２の操作によりこのサムネイル画像の一覧から一のサムネイル画像が選択され（ステップＴ２１；ＹＥＳ）、動画の再生が指示されると（ステップＴ２２；ＹＥＳ）、選択されたサムネイル画像に対応する動画ファイルが再生される（ステップＴ２３）。選択されたサムネイル画像と同じ動画作成条件での動画作成開始が指示されると（ステップＴ２４；ＹＥＳ）、選択されたサムネイル画像に対応する動画ファイルのヘッダに記録されている動画作成条件がワークエリア１３１読み出され（ステップＴ２５）、読み出された動画作成条件に基づいて、上述の動画作成処理Ａが実行され（ステップＴ２６）、作成された動画ファイルに基づいて動画像が表示部１５に再生出力される（ステップＴ５６；動画出力手段）。
【００４９】
一方、図４のステップＴ１９において、「動画作成履歴から選択」が選択されず（ステップＴ１９；ＮＯ）、「定型設定から選択」が選択されると（図５ステップＴ２７；ＹＥＳ）、表示部１５に定型動画選択画面（図示せず）が表示され（ステップＴ２８）、入力部１２からの操作に応じてこの定型動画選択画面から「ズーム動画」が選択されると（ステップＴ２９；ＹＥＳ）、処理はステップＴ３３に移行する。
【００５０】
ステップＴ３３においては、選択された画像全体から指定された領域（動画終了領域）に向かってズームアップする動画を作成するか、或いは指定された領域（動画開始領域）から画像全体にズームバックする動画を作成するかを選択するためのズーム選択画面（図示せず）が表示され、入力部１２の操作によりズームアップが指示されると（ステップＴ３３；ＹＥＳ）、表示部１５にズーム終了領域設定画面が表示される（ステップＴ３４）。
【００５１】
ズーム終了領域設定画面は、図示しないが、図７に示す開始領域設定画面１５１とほぼ同様の画面であり、ステップＴ１で選択された画像上に予め設定されたサイズの矩形領域が表示された画面である。矩形領域のサイズは固定であり、ズーム終了領域設定画面において、入力部１２の十字キーの操作により表示された矩形領域を所望の位置まで移動させて決定キーが押下されると、表示された矩形領域が動画像の最後の画像として切り出す領域、即ち、ズーム動画の動画終了領域として設定される。
【００５２】
入力部１２の操作によりズーム終了領域設定画面から動画終了領域の位置が設定され（ステップＴ３５：終了領域設定手段）、動画作成開始が指示されると（ステップＴ３６；ＹＥＳ）、動画作成処理Ｂが実行される（ステップＴ３７）。
【００５３】
ステップＴ３７において実行される動画作成処理Ｂは、ＣＰＵ１１と記録部１７に記録された動画作成処理Ｂプログラムとの協働によるソフトウエア処理により実現されるものであり、選択画像の全領域からステップＴ３５において設定された動画終了領域に達するまで段階的に領域サイズを縮小しつつ複数領域を切り出して動画像を作成し記録する動画作成手段である。
【００５４】
動画作成処理Ｂにおいては、まず、ステップＴ３５で設定された動画終了領域の位置及び予め設定されたコマ数に基づいて各コマ画像として切り出す領域が求められる。具体的には、ステップＴ１で選択された画像の全領域からステップＴ３５で設定された動画終了領域まで段階的に領域サイズを縮小した複数の（予め設定されているコマ数分の）領域が求められる。
【００５５】
例えば、設定された動画終了領域が図９（ａ）に示すＲ３であり、予め設定されているコマ数が５である場合、図９（ａ）に示すように画像の全領域から動画終了領域Ｒ３まで段階的に領域サイズを縮小した５つのコマ画像の領域サイズ及び位置が求められる。
【００５６】
次いで、求められた領域の大きいものから順次切り出され、切り出された画像が動画サイズに拡大され、画像サイズが統一される。そして、各コマ画像が切り出された順に連結されて動画ファイルが作成され、記録部１７の動画ファイル記録領域（定型）１７３に記録され、処理は図４のステップＴ５６に移行する。ステップＴ５６においては、作成された動画ファイルに基づいて表示部１５に動画像が再生出力される（動画出力手段）。
【００５７】
図９（ｂ）に、動画終了領域が図９（ａ）に示すＲ３に設定され、予め設定されたコマ数が５である場合に作成されたズームアップ動画の動画ファイルを再生出力した場合の画面表示例を示す。ユーザは、定型設定からズームアップ動画を選択し、動画終了領域を設定するだけで、図９（ｂ）に示すように、画像中の所望の一部分に徐々に迫っていくように見せる迫力のある動画像を容易に作成することができる。
【００５８】
一方、ズーム選択画面上からズームバックが指示されると（ステップＴ３３；ＮＯ）、表示部１５にズーム開始領域設定画面が表示される（ステップＴ３８）。
【００５９】
ズーム開始領域設定画面は、図示しないが、図７に示す開始領域設定画面１５１とほぼ同様の画面であり、ステップＴ１で選択された画像上に予め設定されたサイズの矩形領域が表示された画面である。矩形領域のサイズは固定であり、ズーム開始領域設定画面において、入力部１２の十字キーの操作により表示された矩形領域を所望の位置まで移動させて決定キーが押下されると、表示された矩形領域が動画像の最初の画像として切り出す領域、即ち、動画開始領域として設定される。
【００６０】
入力部１２の操作によりズーム開始領域設定画面から動画開始領域の位置が設定され（ステップＴ３９；開始領域設定手段）、動画作成開始が指示されると（ステップＴ４０；ＹＥＳ）、動画作成処理Ｃが実行される（ステップＳ４１）。
【００６１】
ステップＴ４１において実行される動画作成処理Ｃは、ＣＰＵ１１と記録部１７に記録された動画作成処理Ｃプログラムとの協働によるソフトウエア処理により実現されるものであり、ステップＴ３９において設定された領域から選択画像の全領域に達するまで段階的に領域サイズを拡大した複数領域を切り出して動画像を作成し記録する動画作成手段である。
【００６２】
動画作成処理Ｃにおいては、まず、ステップＴ３９で決定された動画開始領域の位置及び予め設定されたコマ数に基づいて各コマ画像の領域が求められる。具体的には、ステップＴ３９で設定された動画開始領域からステップＴ１で選択された画像の全領域まで段階的に領域サイズを拡大した複数の（予め設定されているコマ数分の）領域が求められる。
【００６３】
例えば、設定された動画開始領域が図１０（ａ）に示すＲ４であり、予め設定されているコマ数が５である場合、図１０（ａ）に示すように動画開始領域Ｒ４から画像の全領域まで段階的に領域サイズを拡大した５つのコマ画像の領域サイズ及び位置が求められる。
【００６４】
次いで、求められた領域の小さいものから順次切り出され、切り出された画像が動画サイズに拡大され、画像サイズが統一される。そして、各コマ画像が切り出された順に連結されて動画ファイルが作成され、記録部１７の動画ファイル記録領域（定型）１７３に記録され、処理は図４のステップＴ５６に移行する。ステップＴ５６においては、作成された動画ファイルに基づいて表示部１５に動画像が再生出力される（動画出力手段）。
【００６５】
図１０（ｂ）に、動画開始領域が図１０（ａ）に示すＲ４に設定され、予め設定されたコマ数が５である場合に作成されたズームバック動画の動画ファイルを再生出力した場合の画面表示例を示す。ユーザは、定型設定からズームバック動画を選択し、動画開始領域を指定するだけで、図１０（ｂ）に示すように、画像中の所望の一部領域を大写しにした画像から徐々に領域を広げて遠ざかっていくように見せる臨場感あふれる動画像を容易に作成することができる。
【００６６】
定型動画選択画面から「ズーム動画」ではなく（ステップＴ２９；ＮＯ）、「回転動画」が選択されると（ステップＴ３０；ＹＥＳ）、処理はステップＴ４２に移行する。ここで、「回転動画」とは、図１１に示すように、コマ数、回転開始位置及び回転方向が設定されると、選択画像から切り出す領域を、設定された回転開始位置から設定された回転方向に段階的に拡張して、切り出す領域が画像全体となるまで複数切り出して動画像を作成し、再生時に、回転開始位置から設定された回転方向に向かって徐々に画像領域が拡張されて表示されていき、最後に画像全体が表示されたように見せるものである。
【００６７】
ステップＴ４２において、表示部１５にコマ数の入力画面が表示され、入力部１２の操作によりコマ数が入力されると、表示部１５に、ステップＴ１で選択された画像が入力されたコマ数の領域に分割されて表示された回転動画設定画面が表示され（図１１（ａ）参照）、この回転動画設定画面から入力部１２の十字キー及び決定キーの操作により回転の開始地点となる回転開始位置（開始位置）が設定され（ステップＴ４３）、更に、回転方向が設定され（ステップＴ４４）、動画作成開始が指示されると（ステップＴ４５；ＹＥＳ）、動画作成処理Ｄが実行される（ステップＴ４６）。なお、コマ数、開始位置、回転方向は、自動で設定されるようにしてもよい。
【００６８】
ステップＴ４６において実行される動画作成処理Ｄは、ＣＰＵ１１と記録部１７に記録された動画作成処理Ｄプログラムとの協働によるソフトウエア処理により実現されるものであり、選択画像から切り出す領域を、ステップＴ４３で設定された開始位置からステップＴ４４で設定された回転方向に段階的に拡張して、切り出し領域が画像全体となるまで複数切り出して動画像を作成し記録する動画作成手段である。
【００６９】
動画作成処理Ｄにおいては、まず、ステップＴ１で選択された選択画像が設定されたコマ数の領域に分割される。次いで、設定された開始位置の画像領域が切り出される。次いで、切り出された画像領域と回転方向隣にある領域を合わせた領域が順次切り出されていき、切り出された領域が画像全体になったところで、切り出された画像が連結されて動画ファイルが作成され、記録部１７の動画ファイル記録領域（定型）１７３に記録される。
【００７０】
例えば、設定された条件がコマ数＝５、開始位置＝左上領域（図１１（ａ）の領域１）、回転方向＝時計回りである場合、まず、図１１（ａ）における領域１が切り出され、次に領域１〜２が切り出され、次に領域１〜３が切り出され、次に領域１〜４が切り出され、次に領域１〜５が切り出され、次に全領域が切り出され、切り出された複数の画像が連結されて動画ファイルが作成される。
【００７１】
なお、動画ファイルのヘッダには、各コマ画像の表示位置情報が記録される。この表示位置情報に基づき、再生時に回転開始領域から回転方向に段階的に画像を展開して表示することが可能となる。
【００７２】
動画作成処理Ｄにおいて、動画ファイルが記録されると、処理は図４のステップＴ５６に移行する。ステップＴ５６においては、作成された動画ファイルに基づいて表示部１５に動画像が再生出力される（動画出力手段）。
【００７３】
図１１（ｂ）に、設定された条件がコマ数＝５、開始位置＝左上領域（図１１（ａ）の領域１）、回転方向＝時計回りとして作成された回転動画の動画ファイルを再生出力した場合の画面表示例を示す。図１１（ｂ）に示すように、領域１から時計周りに徐々に画像が表示されていき、最後に画像全体が表示される。このように、「回転動画」は、回転方向に徐々に画像を展開していき最終的に画像全体を表示するので、遠近感を出すことが可能となる。なお、図１１（ａ）の領域１を切り出して表示部１５に収まるように拡大して中央に表示し、この処理を図１１（ａ）の領域２以降の画像の個々に対して順次行なうようにしてもよい。
【００７４】
一方、定型動画選択画面から「回転動画」ではなく（ステップＴ３０；ＮＯ）、「渦巻動画」が選択されると（ステップＴ３１；ＹＥＳ）、処理はステップＴ４７に移行する。ここで、「渦巻動画」とは、図１２に示すように、回転開始位置（開始位置）及び回転方向が設定されると、選択画像から切り出す領域を、設定された開始位置から設定された回転方向に渦巻状に拡張して、切り出し領域が画像全体となるまで複数切り出して動画像を作成し、再生時に、設定された回転開始位置から設定された回転方向に向かって渦巻状に画像領域が拡張されて展開されていき、最後に画像全体が表示されたように見せるものである。
【００７５】
ステップＴ４７において、表示部１５に、ステップＴ１で選択された画像が予め設定された複数の領域（ここでは、２０領域とする）に分割され表示されてなる渦巻動画設定画面が表示され（図１２（ａ）参照）、この渦巻動画設定画面から入力部１２の十字キー及び決定キーの操作により回転開始地点となる開始位置が設定され、更に、回転方向が設定され（ステップＴ４８）、動画作成開始が指示されると（ステップＴ４９；ＹＥＳ）、動画作成処理Ｅが実行される（ステップＴ５０）。なお、開始位置、回転方向は、自動で設定されるようにしてもよい。
【００７６】
ステップＴ５０において実行される動画作成処理Ｅは、ＣＰＵ１１と記録部１７に記録された動画作成処理Ｅプログラムとの協働によるソフトウエア処理により実現されるものであり、選択画像から切り出す領域を、ステップＴ４７で設定された開始位置からステップＴ４８で設定された回転方向に渦巻状に拡張して、切り出し領域が画像全体となるまで複数切り出していくことで、動画像を作成し記録する動画作成手段である。
【００７７】
動画再生処理Ｅにおいては、ステップＴ１で選択された選択画像が予め設定された複数領域に分割される。次いで、設定された開始位置の画像領域が切り出される。次いで、切り出された画像領域と回転方向隣にある領域を合わせた領域が順次切り出されていき、切り出された領域が画像全体になったところで切り出された画像が連結されて動画ファイルが作成され、記録部１７の動画ファイル記録領域（定型）１７３に記録される。なお、動画ファイルのヘッダには、各コマ画像の表示位置情報が記録される。この表示位置情報に基づき、再生時に回転開始領域から回転方向に画像を展開して表示することが可能となる。
【００７８】
動画作成処理Ｅにおいて、動画ファイルが記録されると、処理は図４のステップＴ５６に移行する。ステップＴ５６においては、作成された動画ファイルに基づいて表示部１５に動画像が再生出力される（動画出力手段）。
【００７９】
図１２（ｂ）に、設定された条件が開始位置＝左下領域、回転方向＝時計回りとして作成された渦巻動画の動画ファイルを再生出力した場合の画面表示例を示す。図１２（ｂ）に示すように、画面左下から時計周りに渦巻状に画像が展開されていき、最後に画像全体が表示される。このように、「渦巻動画」は、回転方向に渦巻状に画像の表示を展開していき最終的に画像全体を表示するので、渦巻の中心部に鑑賞者の興味を引きつけて画像の遠近感を強調することができる。
【００８０】
なお、渦巻の中心位置をユーザにより設定できる構成としてもよい。また、表示スピードを設定できる構成としてもよい。
また、図１２（ａ）の開始位置の左下領域を切り出して表示部１５に収まるように拡大して中央に表示し、この処理を図１２（ａ）の次の領域以降の画像の個々に対して順次行なうようにしてもよい。
【００８１】
一方、定型動画選択画面から「渦巻動画」ではなく（ステップＴ３１；ＮＯ）「残像動画」が選択されると（ステップＴ３２；ＹＥＳ）、処理はステップＴ５１に移行する。「残像動画」が選択されなければ（ステップＴ３２；ＮＯ）、処理はステップＴ２７に戻る。
【００８２】
ここで、「残像動画」とは、回転開始位置（開始位置）、回転方向及び重なりレベルが設定されると、設定された開始位置から設定された回転方向に重なりレベルに応じて領域をずらして切り出していき（図１３参照）、再生時に、重なりレベルに応じて前に表示された画像と次に表示される画像の領域が重なるようにして、回転方向に表示領域をずらしながら表示するものである。例えば、重なりレベル１／２とすると、表示される画像の半分の領域が前に表示された画像の領域と重なって表示される。
【００８３】
ステップＴ５１において、表示部１５に、ステップＴ１で選択された画像が予め設定されたコマ数の領域に分割された残像動画設定画面が表示され（図示せず）、この残像動画設定画面から入力部１２の十字キー及び決定キーの操作により開始位置が設定され、次いで、回転方向が設定され（ステップＴ５２）、更に重なりレベルの一覧（ここでは１／２、１／３、１／４のレベル）が表示され、このなかから重なりレベルが設定され（ステップＴ５３）、動画作成開始が指示されると（ステップＴ５４；ＹＥＳ）、動画作成処理Ｆが実行される（ステップＴ５５）。
【００８４】
動画再生処理Ｆにおいては、ステップＴ１で選択された画像から、まずステップＴ５１で設定された開始位置の画像領域（元画像とアスペクト比を同じにする）が切り出されて表示部１５に収まるように拡大し、次いで、ステップＴ５２で設定された回転方向に、設定された重なりレベルに応じた分だけ画像領域が移動されて次に切り出す画像領域が求められ、求められた画像領域が切り出され表示部１５に収まるように拡大する。これを繰り返し、画像領域の切り出しが一周したところで、切り出された画像が連結されて動画ファイルが作成され、記録部１７の動画ファイル記録領域（定型）１７３に記録される。なお、動画ファイルのヘッダには、各コマ画像の表示位置情報が記録される。この表示位置情報に基づき、再生時に開始領域から回転方向に画像が表示されるようになる。
【００８５】
動画作成処理Ｆにおいて、動画ファイルが記録されると、処理は図４のステップＴ５６に移行する。ステップＴ５６においては、作成された動画ファイルに基づいて表示部１５に動画像が再生出力される（動画出力手段）。
【００８６】
動画像の再生出力が終了すると、処理は図３のステップＳ１１に移行する。なお、デジタルカメラ１０は動画再生モードを有しており、図３のステップＳ１で動画再生モードを選択すると、ステップＳ１３において、記録部１７に記録されている動画ファイルのうち選択された動画ファイルの再生出力を行うことが可能となる。
【００８７】
以上説明したように、本発明に係るデジタルカメラ１０によれば、入力部１２を介して撮影された複数の静止画像のなかから動画像作成に使用する任意の画像が選択されると、選択された画像から領域サイズの異なる複数領域の画像を切り出し、切り出した画像を連結して動画像を作成、記録し出力する。従って、撮影された任意の静止画像から遠近感のある動画像を再生出力することが可能となる。
【００８８】
また、任意の画像から切り出す複数領域に関する動画作成条件をユーザが設定することができるので、ユーザが所望の動画像を作成することが可能となる。
【００８９】
また、動画像を作成した際の動画作成条件を動画像のヘッダ領域に記録しておき、他の画像から動画像を作成する際にその条件に従って動画像を作成することが可能であるので、動画像を作成する際の条件設定の手間を省くことができ、操作性が向上する。
【００９０】
また、動画像の最後の画像として切り出す領域を設定するだけで、画像全体から設定した領域にズームアップした動画像を作成することができるので、画像中の所望の一部分に徐々に迫っていくように見せる迫力のある動画像を容易に作成することができる。
【００９１】
また、動画像の最初の画像として切り出す領域を設定するだけで、設定した領域から画像全体にズームバックした動画像を作成することができるので、画像中の所望の一部領域を大写しにした画像から徐々に領域を広げて遠ざかっていくように見せる臨場感あふれる動画像を容易に作成することができる。
【００９２】
また、「回転動画」を選択し、コマ数、開始領域及び回転方向を設定すると、一の画像から切り出す領域を、設定された開始位置から設定された回転方向に段階的に拡張して、切り出し領域が画像全体となるまで複数切り出して動画像を作成するので、再生時に、回転方向に徐々に画像を展開して最終的に画像全体を展開する、画像の遠近感を引き出す動画再生を行うことが可能となる。
【００９３】
また、「渦巻動画」を選択し、開始領域及び回転方向を設定すると、一の画像から切り出す領域を、設定された開始位置から設定された回転方向に渦巻状に切り出す領域を拡張して、切り出し領域が画像全体となるまで複数切り出して動画像を作成するので、動画像の再生時に、回転方向に渦巻状に徐々に画像を展開して最終的に画像全体を展開し、渦巻の中心部に鑑賞者の興味を引きつけて画像の遠近感を強調することが可能となる。
【００９４】
なお、上述した本実施の形態における記述は、本発明に係るデジタルカメラ１０好適な一例であり、これに限定されるものではない。
【００９５】
例えば、上記実施の形態においては、作成された動画像を表示部１５に再生出力することにより本発明の画像出力手段を実現することとしたが、伝送制御部１４を介して動画ファイルのデータを外部のパーソナルコンピュータ等に出力し、外部のパーソナルコンピュータ等で動画像を再生出力するようにしてもよい。
【００９６】
また、上記実施の形態においては、本発明の撮影装置をデジタルカメラに適用した場合を例にとり説明したが、撮影機能を備えた装置であれば、携帯電話機、ＰＤＡ（Personal Digital Assistance）、カメラ一体型のパーソナルコンピュータ、ウェアラブルコンピュータ等であってもよい。
【００９７】
その他、デジタルカメラ１０の細部構成及び細部動作に関しても、本発明の趣旨を逸脱することのない範囲で適宜変更可能である。
【図面の簡単な説明】
【００９８】
【図１】本発明に係るデジタルカメラ１０の機能的構成を示すブロック図である。
【図２】図１の撮像部１６の詳細構成を示す図である。
【図３】図１のＣＰＵ１１により実行されるメイン処理を示すフローチャートである。
【図４】図１のＣＰＵ１１により実行される動画モード処理を示すフローチャートである。
【図５】図１のＣＰＵ１１により実行される動画モード処理を示すフローチャートである。
【図６】図１のＣＰＵ１１により実行される動画モード処理を示すフローチャートである。
【図７】図１の表示部１５に表示される開始領域設定画面１５１の一例を示す図である。
【図８】（ａ）は、「マニュアル設定」により設定された動画開始領域及び動画終了領域に基づき切り出される複数の領域を示す図、（ｂ）は、（ａ）に示す複数領域を切り出して作成された動画像の表示例を示す図である。
【図９】（ａ）は、「ズーム動画」の「ズームアップ」が選択された際に切り出される複数の領域を示す図、（ｂ）は、（ａ）に示す複数領域を切り出して作成された動画像の表示例を示す図である。
【図１０】（ａ）は、「ズーム動画」の「ズームバック」が選択された際に切り出される複数の領域を示す図、（ｂ）は、（ａ）に示す複数領域を切り出して作成された動画像の表示例を示す図である。
【図１１】（ａ）は、「回転動画」が選択された際に切り出される複数の領域を示す図、（ｂ）は、（ａ）に示す複数領域を切り出して作成された動画像の表示例を示す図である。
【図１２】（ａ）は、「渦巻動画」が選択された際に切り出される複数の領域を示す図、（ｂ）は、（ａ）に示す複数領域を切り出して作成された動画像の表示例を示す図である。
【図１３】「残像動画」において複数領域を切り出す際に、前に切り出した画像との重なりを示す図である。
【符号の説明】
【００９９】
１０  デジタルカメラ
１１  ＣＰＵ
１２  入力部
１３  ＲＡＭ
１４  伝送制御部
１５  表示部
１６  撮像部
１７  記録部
１７１  撮像画像記録領域
１７２  動画ファイル記録領域（マニュアル／履歴）
１７３  動画ファイル記録領域（定型）
１８  記録媒体駆動部
１８ａ  記録媒体
１９  バス
２１  レンズ
２２  絞り機構
２３  ＣＣＤ
２４  光学系駆動部
２５  センサ部
２６  駆動回路
２７  アナログ処理回路
２８  Ａ／Ｄ変換回路
２９  バッファレジスタ
３０  信号処理回路
３１  圧縮伸張回路
【図１】
2006270550.tif 000003
【図２】
2006270550.tif 000004
【図３】
2006270550.tif 000005
【図４】
2006270550.tif 000006
【図５】
2006270550.tif 000007
【図６】
2006270550.tif 000008
【図７】
2006270550.tif 000009
【図８】
2006270550.tif 000010
【図９】
2006270550.tif 000011
【図１０】
2006270550.tif 000012
【図１１】
2006270550.tif 000013
【図１２】
2006270550.tif 000014
【図１３】
2006270550.tif 000015